(57)【要約】【課題】非磁性金属からなるワーク同士を溶接するに際して、段取りおよび撤収の各作業を簡単かつ短時間のうちに行うことができ、その結果、溶接作業性の向上を実現する。【解決手段】磁性金属からなる平板状をなすベース２と、このベース２をワークＷに取り外し可能に吸着する取付け機構３と、溶接トーチ４および落下防止用磁石を保持してベース２上を走行する溶接台車５と、ベース２上において溶接台車５をワークＷの突き合わせラインＬに沿って走行させる倣い用壁部２ｂを備えている。【選択図】　　　　　　図１
2004141875.tif 000002
【特許請求の範囲】
【請求項１】
非磁性金属からなるワーク同士を溶接する溶接装置であって、磁性金属からなる平板状をなすベースと、このベースをワークに取り外し可能に吸着する取付け機構と、溶接トーチおよび落下防止用磁石を保持してベース上を走行する溶接台車と、ベース上において溶接台車をワークの突き合わせラインに沿って走行させる走行路設定手段を備えていることを特徴とする溶接装置。
【請求項２】
取付け機構は、ベースの台車走行面の裏側において開口を台車走行面とは反対方向に向けて装着した可撓性を有する吸着カップと、この吸着カップの内部空気を吸引する吸引源を具備している請求項１に記載の溶接装置。
【請求項３】
ベースに設けられて溶接台車の倣いアームと摺接して溶接台車を所定の走行路に沿って走行させる倣い用壁部を走行路設定手段とした請求項１または２に記載の溶接装置。
【請求項４】
ベースに設けられて溶接台車を所定の走行路に沿って走行させるレールを走行路設定手段とした請求項１または２に記載の溶接装置。
【発明の詳細な説明】
【０００１】
【発明の属する技術分野】
本発明は、例えば、アルミニウムなどの非磁性金属からなるワーク同士を突き合わせ溶接するのに利用される溶接装置に関するものである。
【０００２】
【従来の技術】
従来、上記したように、例えば、アルミニウムからなるワーク同士を突き合わせ溶接する場合、一方のワーク上において突き合わせラインに沿うようにしてレールを溶接によって直に固定し、溶接トーチを有する溶接台車がこのレール上を走行するようになすことにより、ワーク同士を突き合わせラインに沿って溶接するようにしていた。
【０００３】
【発明が解決しようとする課題】
ところが、従来において、ワーク同士を突き合わせ溶接する度に、ワークにレールを溶接によって取り付ける作業およびワークからレールを溶接により取り外す作業が必要であり、すなわち、段取りおよび撤収に多くの時間を費やさなくてはならず、作業性がよいとは言えないという問題があり、この問題を解決することが従来の課題となっていた。
【０００４】
【発明の目的】
本発明は、上記した従来の課題に着目してなされたもので、非磁性金属からなるワーク同士を溶接するに際して、段取りおよび撤収の各作業を簡単かつ短時間のうちに行うことができ、その結果、溶接作業性の向上を実現することが可能である溶接装置を提供することを目的としている。
【０００５】
【課題を解決するための手段】
本発明の請求項１に係わる溶接装置は、非磁性金属からなるワーク同士を溶接する溶接装置であって、磁性金属からなる平板状をなすベースと、このベースをワークに取り外し可能に吸着する取付け機構と、溶接トーチおよび落下防止用磁石を保持してベース上を走行する溶接台車と、ベース上において溶接台車をワークの突き合わせラインに沿って走行させる走行路設定手段を備えている構成としたことを特徴としており、このような溶接装置の構成を前述した従来の課題を解決するための手段としている。
【０００６】
本発明の請求項２に係わる溶接装置において、取付け機構は、ベースの台車走行面の裏側において開口を台車走行面とは反対方向に向けて装着した可撓性を有する吸着カップと、この吸着カップの内部空気を吸引する吸引源を具備している構成とし、本発明の請求項３に係わる溶接装置では、ベースに設けられて溶接台車の倣いアームと摺接して溶接台車を所定の走行路に沿って走行させる倣い用壁部を走行路設定手段とした構成とし、本発明の請求項４に係わる溶接装置では、ベースに設けられて溶接台車を所定の走行路に沿って走行させるレールを走行路設定手段とした構成としている。
【０００７】
【発明の作用】
本発明の請求項１に係わる溶接装置では、上記した構成としているので、取付け機構を作動させると、磁性金属からなりかつ溶接台車の走行路設定手段を具備した平板状をなすベースがワークに吸着して、ワークに対するセッティングが完了することとなり、一方、取付け機構の作動を停止すると、ベースのワークに対する吸着状態が解除されて撤収可能となり、したがって、段取りおよび撤収の各作業を簡単かつ短時間のうちに行い得ることとなって、溶接作業性が大幅に向上することとなる。
【０００８】
本発明の請求項２に係わる溶接装置では、取付け機構の吸引源で吸着カップの内部空気を吸引すれば、ベースがワークに吸着してワークに対するセッティングが完了することとなり、一方、取付け機構の吸引源の作動を停止して吸着カップの内部を大気に開放すれば、ベースのワークに対する吸着状態が解除されて撤収可能となり、その結果、段取りおよび撤収をより一層簡単でしかも短時間で行い得ることとなる。
【０００９】
本発明の請求項３および４に係わる溶接装置では、簡単な構造で溶接台車の走行路の設定を行い得ることとなる。
【００１０】
【実施例】
以下、本発明を図面に基づいて説明する。
【００１１】
図１〜図３は本発明に係わる溶接装置の一実施例を示している。
【００１２】
図１に示すように、この溶接装置１は、非磁性金属であるアルミニウムやステンレスからなるワークＷ同士を突き合わせ溶接するのに用いられるものであって、磁性金属からなる平板状をなすベース２と、このベース２をワークＷに取り外し可能に吸着する取付け機構３と、溶接トーチ４および図示しない落下防止用磁石を保持してベース２上を走行する溶接台車５を備えている。
【００１３】
取付け機構３は、図２および図３にも示すように、ベース２の台車走行面２ａの裏側（図示下側）において開口３１ａを台車走行面２ａとは反対方向に向けて装着した可撓性を有する吸着カップ３１と、この吸着カップ３１に設けた吸引孔３１ｂとホース３２を介して連通して吸引孔３１ｂおよびホース３２を通して吸着カップ３１の内部空気を吸引する吸引ポンプ（吸引源）３３を具備しており、この吸引ポンプ３３を作動させて吸着カップ３１の内部空気を吸引することで、ベース２をワークＷの上面のみならず側面や下面に対しても取り付けることができ、一方、吸引ポンプ３３の作動を停止させて吸着カップ３１の内部を大気に開放することで、ベース２をワークＷから簡単に取り外すことができるようになっている。
【００１４】
また、この溶接装置１は、溶接台車５の側面に一対の倣いアーム５ａ，５ａを設けていると共に、ベース２の側縁に台車走行面２ａから立ち上がる倣い用壁部２ｂを設けており、この倣い用壁部２ｂがワークＷの突き合わせラインＬに沿うようにしてベース２をワークＷに取り付けた状態において、倣いアーム５ａ，５ａが倣い用壁部２ｂに摺接するように溶接台車５をセットすることにより、溶接台車５を所定の走行路に沿って走行させることができるようにしている。
【００１５】
この溶接装置１では、倣い用壁部２ｂがワークＷの突き合わせラインＬに沿うようにしてベース２をワークＷ上に載せた後、取付け機構３の吸引ポンプ３３を作動させて吸着カップ３１の内部空気を吸引すると、磁性金属からなりかつ一対の倣いアーム５ａ，５ａおよび倣い用壁部２ｂによって溶接台車５の走行路を設定可能とした平板状のベース２がワークＷに吸着して、ワークＷに対するセッティングが完了することとなり、一方、取付け機構３の吸引ポンプ３３の作動を停止すると、ベース２のワークＷに対する吸着状態が解除されて撤収可能となることから、段取りおよび撤収の各作業が簡単かつ短時間のうちに行われることとなり、したがって、突き合わせ溶接の作業性が大幅に向上することとなる。
【００１６】
また、この溶接装置１では、溶接台車５の一対の倣いアーム５ａ，５ａおよびベース２の倣い用壁部２ｂによって溶接台車５の走行路を設定するようにしているので、簡単な構造で溶接台車５の走行路の設定がなされることとなる。
図４は本発明に係わる溶接装置の他の実施例を示しており、図４に示すように、この溶接装置１１が先の実施例における溶接装置１と相違するところは、ベース２に設けたレール２ｃを走行路設定手段として、このレール２ｃによって溶接台車５Ａを所定の走行路に沿って走行させるようにした点にあり、他の構成は先の実施例における溶接装置１と同じである。
【００１７】
したがって、この溶接装置１１においても、段取りおよび撤収の各作業が簡単かつ短時間のうちに行われることとなって、突き合わせ溶接の作業性が大幅に向上することとなり、加えて、ベース２に設けたレール２ｃによって溶接台車５Ａの走行路を設定するようにしているので、より一層簡単な構造で溶接台車５Ａの走行路の設定がなされることとなる。
【００１８】
図５は本発明に係わる溶接装置のさらに他の実施例を示しており、図５に示すように、この溶接装置２１が先の実施例における溶接装置１と相違するところは、取付け機構６における吸着カップ６１の吸引孔６１ｂをベース２の台車走行面２ａにおける溶接台車５の走行に支障のない位置に設けて、ホース６２を介してこの吸引孔６１ｂと吸引ポンプ６３とを連通させるようにした点にあり、他の構成は先の実施例における溶接装置１と同じである。
【００１９】
この溶接装置２１においても、段取りおよび撤収の各作業が簡単かつ短時間のうちに行われることとなる。
【００２０】
上記したように、図１〜図４に示す実施例では、本発明に係わる溶接装置１，１１をワークＷの上面にセットした場合を示したが、これに限定されるものではなく、図５に示した実施例のように、ワークＷの側面にセットすることや、あるいは、ワークｗの下面にセットすることも可能である。
【００２１】
また、上記した実施例では、ワークＷ同士を突き合わせ溶接するのに本発明に係わる溶接装置を用いた場合を示したが、本発明に係わる溶接装置を隅肉溶接に用いることも当然可能である。
【００２２】
さらに、本発明に係わる溶接装置の詳細な構成は、上記した実施例に限定されるものではない。
【００２３】
【発明の効果】
以上説明したように、本発明の請求項１に係わる溶接装置では、上記した構成としたから、非磁性金属からなるワーク同士を突き合わせ溶接するに際して、段取りおよび撤収の各作業を簡単かつ短時間のうちに行うことができ、その結果、突き合わせ溶接の作業性の大幅な向上を実現することが可能であるという極めて優れた効果がもたらされる。
【００２４】
本発明の請求項２に係わる溶接装置では、上記した構成としたから、段取りおよび撤収をより一層簡単でしかも短時間で行うことができ、本発明の請求項３および４に係わる溶接装置では、上記した構成としたから、請求項１および２に係わる溶接装置と同じ効果が得られるのに加えて、構造を複雑化させることなく溶接台車の走行路の設定を行うことが可能であるという極めて優れた効果がもたらされる。
【図面の簡単な説明】
【図１】本発明に係わる溶接装置の一実施例を示す全体斜視説明図である。
【図２】図１に示した溶接装置の側面説明図である。
【図３】図１に示した溶接装置の正面説明図である。
【図４】本発明に係わる溶接装置の他の実施例を示す全体斜視説明図である。
【図５】本発明に係わる溶接装置のさらに他の実施例を示す側面説明図である。
【符号の説明】
１，１１，２１　　溶接装置
２　ベース
２ａ　ベースの台車走行面
２ｂ　倣い用壁部（走行路設定手段）
２ｃ　レール（走行路設定手段）
３，６　取付け機構
４　溶接トーチ
５，５Ａ　溶接台車
３１，６１　吸着カップ
３１ａ　開口３１
３３，６３　吸引ポンプ（吸引源）
Ｌ　ワークの突き合わせライン
Ｗ　ワーク
【図１】
2004141875.tif 000003
【図２】
2004141875.tif 000004
【図３】
2004141875.tif 000005
【図４】
2004141875.tif 000006
【図５】
2004141875.tif 000007